(57)【要約】【課題】  任意の帽子に利用可能であり、帽子が遠くに吹き飛んでしまうことを防止するだけでなく、帽子が脱げてしまうことも防止する。【解決手段】  紐状部材２と、２つ折りの状態の紐状部材２を束ねて紐状部材２の長手方向における保持位置を移動可能に保持することにより、一端側に紐状部材２の輪状部分７が配置され、他端側に紐状部材２の両端部分８が配置される中間束部材５と、輪状部分７に移動可能に取り付けられる一対の保持部材１３を有する。【選択図】      図１
2011168907.tif 000002
【特許請求の範囲】
【請求項１】
紐状部材と、
２つ折りの状態の前記紐状部材を束ねて前記紐状部材の長手方向における保持位置を移動可能に保持することにより、一端側に前記紐状部材の輪状部分が配置され、他端側に前記紐状部材の両端部分が配置される中間束部材と、
前記輪状部分に移動可能に取り付けられる一対の保持部材を有することを特徴とする多機能帽子用留め具。
【請求項２】
前記一対の保持部材を第１保持部材とし、前記両第１保持部材の間であって前記紐状部材の中央部に固定して取り付けられる第２保持部材を有することを特徴とする請求項１に記載の多機能帽子用留め具。
【請求項３】
前記両端部分における前記中間束部材と前記紐状部材の両端部との間において、前記両端部分を前記紐状部材の長手方向に移動可能に保持する両端部分束部材を有することを特徴とする請求項１または請求項２に記載の多機能帽子用留め具。
【請求項４】
前記紐状部材の両端部に取り付けられる端部止め部材を有することを特徴とする請求項１乃至請求項３のいずれか１項に記載の多機能帽子用留め具。
【発明の詳細な説明】
【技術分野】
【０００１】
本発明は、帽子が脱げてしまったり遠くに吹き飛んでしまうことを防止する多機能帽子用留め具に関する。
【背景技術】
【０００２】
従来より、頭部に装着した帽子が、運動時や風等により頭部から脱げてしまったり、遠くに吹き飛んでしまうことを防止するため、様々な帽子や器具が考えられている。
【０００３】
頭部から脱げてしまうことを防止する帽子としては、従来より、帽子の内部における左右の側面部に顎紐が掛け渡された帽子が多用されている。この帽子によれば、装着時にこの顎紐を下顎にかけることにより脱げてしまうことを防止することができるその他、例えば、特許文献１に示すような、顎紐の両端部がそれぞれ帽子の内部における左右側面の中心位置よりも後方に取り付けられた帽子が考えられている。この特許文献１に記載の発明に係る帽子によれば、この顎紐を後頭部に掛けることにより脱げてしまうことを防止することができる。
【０００４】
また、帽子が遠くに吹き飛んでしまうことを防止する帽子および器具としては、従来より、紐の両端部にそれぞれクリップが取り付けられた器具が多用されている。この器具によれば、一方のクリップにより洋服の襟等を挟持し、他方のクリップにより帽子の縁部を挟持することにより、帽子が頭部から脱げてしまった場合であっても、遠くに吹き飛んでしまうことを防止することができる。その他、例えば特許文献２に示すような、連結紐の一端が帽子のサイドクラウンに固定され、他端にクリップが取り付けられた帽子が考えられている。この帽子は、前記連結紐がサイドクラウンに形成されたベルトの内側に収納され、ブリムまたはサイドクラウンに形成された紐通し孔を介して帽子下面へ引き出し可能とされており、この帽子によれば、クリップによって襟等を挟持することにより、帽子が遠くに吹き飛んでしまうことを防止することができる。さらに、特許文献３に示すような、一端に引き輪が取り付けられ他端に丸カンが取り付けられたネックレスと、一端に丸カンが取り付けられ他端にクリップが取り付けられてネックレスの一端に接続される支持体と、一端に引き輪が取り付けられ他端にクリップが取り付けられてネックレスの他端に接続される支持体とを備えたネックレス兼用の多機能帽子用留め具が考えられている。この留め具によれば、ネックレスを首に掛け、両クリップによって帽子を挟持することにより、帽子が遠くに吹き飛んでしまうことを防止することができる。
【先行技術文献】
【特許文献】
【０００５】
【特許文献１】特開２００７−２０４８９８号公報
【特許文献２】特開２００２−３０２８２３号公報
【特許文献３】実用新案登録第３０９８０８３号公報
【発明の概要】
【発明が解決しようとする課題】
【０００６】
しかし、前述の顎紐が掛け渡された帽子や、特許文献１および特許文献２に記載された両発明に係る帽子によれば、顎紐や連結紐は帽子に一体に取り付けられており、このため、前記顎紐や連結紐が取り付けられていない帽子には利用することができないという問題を有していた。
【０００７】
また、前述の紐の両端部にそれぞれクリップが取り付けられた器具や、特許文献３に記載された発明に係る留め具によれば、帽子が遠くに吹き飛んでしまうことを防止することはできても、帽子が脱げてしまうことを防止することができないという問題を有していた。
【０００８】
本発明はこれらの点に鑑みてなされたものであり、任意の帽子に利用可能であり、帽子が遠くに吹き飛んでしまうことを防止するだけでなく、帽子が脱げてしまうことも防止することが可能な多機能帽子用留め具を提供することを目的とする。
【課題を解決するための手段】
【０００９】
前記目的を達成するため、本発明に係る多機能帽子用留め具の特徴は、紐状部材と、２つ折りの状態の前記紐状部材を束ねて前記紐状部材の長手方向における保持位置を移動可能に保持することにより、一端側に前記紐状部材の輪状部分が配置され、他端側に前記紐状部材の両端部分が配置される中間束部材と、前記輪状部分に移動可能に取り付けられる一対の保持部材を有する点にある。
【００１０】
本発明によれば、両保持部材の間の輪状部分が帽子の後端縁に沿って配置されるように両保持部材の位置を調整しながら移動させることにより、任意の帽子に装着することができる。また、中間束部材を移動させて輪状部分の大きさを調整することにより、中間束部材が下顎に接するように位置させたり、輪状部分を首に掛けたりして、任意の帽子に使用することができる。さらに、保持部材によって任意の帽子のサイドクラウンやバックベルトさらには服の襟等、その他任意のものを挟持することができる。
【００１１】
また、本発明に係る多機能帽子用留め具において、前記一対の保持部材を第１保持部材とし、前記両第１保持部材の間であって前記紐状部材の中央部に固定して取り付けられる第２保持部材を有することが好ましい。これにより、例えば、第２保持部材によって帽子のサイドクラウンの後端縁の中央部を挟持し、輪状部分における第１保持部材の間に位置する紐状部材を前記サイドクラウンの後端縁に沿うように配置させながら両第１保持部材によってサイドクラウンの側端縁を挟持するように使用する場合等において、第２保持部材の位置決めの容易かを図ることができる。
【００１２】
さらに、本発明に係る多機能帽子用留め具において、前記両端部分における前記中間束部材と前記紐状部材の両端部との間において、前記両端部分を前記紐状部材の長手方向に移動可能に保持する両端部分束部材を有することが好ましい。これにより、両端部分の中間束部材と両端部分束部材との間における紐状部材の一端部分と他端部分の間に、例えば、眼鏡のつるの一方や携帯電話に装着したストラップを通し、中間束部材を移動させて中間束部材と両端部分束部材とによって眼鏡のつる等を挟持することにより、眼鏡を保持することもできる。これにより、本発明に係る多機能帽子用留め具をホルダとして利用することも可能となる。
【００１３】
さらにまた、本発明に係る多機能帽子用留め具において、前記紐状部材の両端部に取り付けられる端部止め部材を有することが好ましい。これにより、端部止め部材によって、紐状部材の両端部分から中間束部材や両端部分束部材が外れてしまうことを防止することができる。
【発明の効果】
【００１４】
以上述べたように、本発明に係る多機能帽子用留め具は、大きさや形状等が異なる種々の任意の帽子に利用することができ、強風の時に帽子が遠くに吹き飛んでしまうことを防止することができるとともに、強風および弱風の時に帽子が頭部から脱げてしまうことも防止することができる。さらに、帽子用留め具としてのみならず、ホルダ等の他の種々の用途に用いることも可能である。
【図面の簡単な説明】
【００１５】
【図１】本発明に係る多機能帽子用留め具の一実施形態を示す斜視図
【図２】図１に示す多機能帽子用留め具の使用態様の一例を示す概説図
【図３】図１に示す多機能帽子用留め具の使用態様の他の例を示す概説図
【図４】図１に示す多機能帽子用留め具の両端部分に眼鏡のつるを掛けた状態を示す概説図
【図５】図１に示す多機能帽子用留め具の使用態様のさらに他の例を示す概説図
【図６】図１に示す多機能帽子用留め具の使用態様のさらに他の例を示す概説図
【図７】図１に示す多機能帽子用留め具の使用態様のさらに他の例を示す概説図
【図８】（ａ）（ｂ）は、図１に示す多機能帽子用留め具の使用態様のさらに他の例を示す概説図
【図９】（ａ）（ｂ）は、図１に示す多機能帽子用留め具の使用態様のさらに他の例を示す概説図
【図１０】図１に示す多機能帽子用留め具の使用態様のさらに他の例を示す概説図
【図１１】本発明に係る多機能帽子用留め具の他の実施形態を示す斜視図
【図１２】図１１に示す多機能帽子用留め具の使用態様の一例を示す概説図
【図１３】図１１に示す多機能帽子用留め具の使用態様の他の例を示す概説図
【発明を実施するための形態】
【００１６】
以下、本発明に係る多機能帽子用留め具の一実施形態を図１乃至１０を参照して説明する。
【００１７】
図１は、本実施形態に係る多機能帽子用留め具の一実施形態を示す斜視図であり、図１に示すように、本実施形態に係る多機能帽子用留め具１は、１本の紐状部材２を有している。紐状部材２は、２つ折りの状態とされており、２つ折り状態の紐状部材２の中間部分は、中間束部材としてのコードストッパ５の孔５ａ１０ａに挿通されている。これにより、コードストッパ５は、２つ折り状態の紐状部材２を束ねて保持するようになっており、コードストッパ５の一端側には、紐状部材２の輪状部分７が配置され、他端側には、紐状部材２の両端部分８がそれぞれ配置されることとなる。
【００１８】
コードストッパ５には、固定解除ボタン５ｂが設けられており、固定解除ボタン５ｂが押圧されていない状態では、コードストッパ５における紐状部材２の保持位置は固定され、固定解除ボタン５ｂが押圧された状態では、コードストッパ５における紐状部材２の保持位置が紐状部材２の長手方向に移動可能とされている。これにより、コードストッパ５は、紐状部材２の保持位置を移動可能に保持している。なお、本実施形態においては中間束部材としてコードストッパ５を用いているが、本発明はこれに限定されるものではなく、紐状部材２の保持位置を移動可能に保持する部材であればよい。
【００１９】
紐状部材２における輪状部分７には、一対の保持部材として、例えば帽子Ｃのサイドクラウン、つば、バックベルト（図示せず）、また服の襟Ｎ等を挟持可能なクリップ１３が移動可能に取り付けられている。本実施形態においては、両クリップ１３の一端部に形成された取付用孔１３ａに紐状部材２の輪状部分７を挿通することにより、両クリップ１３が輪状部分７に移動可能に取り付けられるようになっている。
【００２０】
紐状部材２の両端部分８におけるコードストッパ５と紐状部材２の両端部との間には、紐状部材２の両端部分８を紐状部材２の長手方向に移動可能に保持する両端部分束部材としての環状部材１０が取り付けられているとよい。本実施形態においては、環状部材１０の孔１０ａに紐状部材２の両端部分８を挿通することにより、環状部材１０は、紐状部材２の両端部分８を束ねて保持するようになっている。
【００２１】
環状部材１０の孔１０ａは、紐状部材２の両端部分８が少しの余裕をもって挿通される大きさとされており、これにより、環状部材１０は、両端部分８における紐状部材２の保持位置を紐状部材２の長手方向に移動可能に保持するようになっている。
【００２２】
紐状部材２の両端部分８には、紐状部材２の両端部をまとめて保持する端部止め部材１２が取り付けられていることが好ましい。この端部止め部材１２により、紐状部材２の両端部分８からコードストッパ５や環状部材１０が外れてしまうことを防止することができる。なお、本実施形態においは、端部止め部材１２は、紐状部材２の両端部をまとめて保持するようになっているが、本発明は、これに限定されず、両端部それぞれに端部止め部材１２を取り付けるようにしてもよい。また、端部止め部材１２を取り付けなくても、例えば、両端部に結び目を形成することにより、コードストッパ５や環状部材１０が紐状部材２の両端部分８から外れてしまうことを防止することができる。
【００２３】
続いて、本実施形態に係る多機能帽子用留め具１の使用態様について、図２乃至図１０を用いて説明する。
【００２４】
図２は、本実施形態に係る多機能帽子用留め具１の第１の使用態様を示す概説図である。図２に示すように、多機能帽子用留め具１の輪状部分７における両クリップ１３の間に位置する紐状部材２を、帽子ＣのサイドクラウンＣａの後端縁に沿うように配置させながら、両クリップ１３によってサイドクラウンＣａの側端縁を挟持する。続いて、帽子Ｃを頭部に装着した状態で、輪状部分７における各クリップ１３とコードストッパ５との間の紐状部材２が顔面の側面に位置し、コードストッパ５が下顎に接するようにコードストッパ５を移動させながらコードストッパ５の保持位置を決定する。
【００２５】
本実施形態に係る多機能帽子用留め具１を第１の使用態様のように用いることにより、例えば、強風の時であっても、帽子Ｃが頭部から脱げてしまうことを防止することができる。また、この第１の使用態様において、両クリップ１３の間に位置する輪状部分７を下顎に接するように配置することにより、第１の使用態様と同様に、強風の時であっても、帽子Ｃが頭部から脱げてしまうことを防止することができる。なお、図２においては、本実施形態に係る多機能帽子用留め具１をサイドクラウンＣａの外周縁の前面のみにつばＣｂが形成されたキャップについて用いているが、例えば、クラウンの外周縁の全周につばが形成されたハットやつばがない帽子等種々の帽子に用いることができる。図２に示す第１の使用態様において多機能帽子用留め具１をハットに用いる場合には、例えば、両クリップ１３によってそれぞれつばの側端縁を挟持することにより、第１の使用態様と同様に、帽子Ｃが頭部から脱げてしまうことを防止することができる。
【００２６】
図３は、本実施形態に係る多機能帽子用留め具１の第２の使用態様を示す概説図である。図３に示すように、紐状部材２の輪状部分７を首に掛け、少なくともいずれか一方のクリップ１３によって帽子ＣのサイドクラウンＣａの端縁を挟持する。ここで、輪状部分７を首に掛ける際には、図３に示すように紐状部材２の両端部分８が体の前方に位置するようにしてもよく、または両端部分８が体の後方に位置するようにしてもよい。また、この第２の使用態様において多機能帽子用留め具１をハットに用いる場合には、クリップ１３によってつばの端縁を挟持するとよい。強風および弱風状態の時に、多機能帽子用留め具１をこのような第２の使用態様のように用いることにより、多機能帽子用留め具１は、帽子Ｃが遠くに吹き飛ばされることを防止することができる。
【００２７】
また、この第２の使用態様において、図３に示すように、紐状部材２の両端部分８が前方に位置するように輪状部分７を首に掛け、一方のクリップ１３によって帽子ＣのサイドクラウンＣａの端縁を挟持した場合には、いずれか他方のクリップ１３によってネームプレート等の任意のものを挟持することもできる。このクリップ１３によってネームプレートを確実に挟持するためには、クリップ１３の挟持部に滑り止めを施すとよい。また、図４に示すように、両端部分８のコードストッパ５と環状部材１０との間における紐状部材２の一端部分と他端部分の間に、例えば、眼鏡Ｇのつるの一方を通し、コードストッパ５を移動させてコードストッパ５と環状部材１０とによって眼鏡のつるを挟持することにより、眼鏡を保持することもできる。また、眼鏡と同様に、携帯電話に装着されたストラップや時計等の任意のものをコードストッパ５と環状部材１０との間における紐状部材２の一端部分と他端部分の間に通し、コードストッパ５と環状部材１０とによって挟持することもできる。第２の使用形態において、前述のように多機能帽子用留め具１を使用することにより、多機能帽子用留め具１をホルダとして使用することも可能となる。
【００２８】
図５は、本実施形態に係る多機能帽子用留め具１の第３の使用態様を示す概説図である。図５に示すように、少なくとも何れか一方のクリップ１３によって帽子ＣのサイドクラウンＣａの端縁を挟持し、他方のクリップ１３によって洋服の襟Ｎ等を挟持する。強風および弱風の場合に、本多機能帽子用留め具１をこのような第３の使用態様のように用いることにより、帽子Ｃが遠くに吹き飛んでしまうことを防止することができる。
【００２９】
図６は、本実施形態に係る多機能帽子用留め具１の第４の使用態様を示す概説図である。図６に示すように、輪状部分７を帽子ＣのサイドクラウンＣａにおける円周方向に沿って嵌るようにコードストッパ５を移動させながらコードストッパ５の保持位置を決定するとともに、クリップ１３を任意の位置に配置させる。この第４の使用態様のように用いることにより、無風状態の時には、多機能帽子用留め具１を帽子Ｃの飾りとして利用することも可能である。
【００３０】
図７は、本実施形態に係る多機能帽子用留め具１の第５の使用態様を示す概説図であり、図７に示すように、両端部分８が前方に位置するように、輪状部分７を首に掛け、クリップ１３が前方に位置するように配置することにより、第２の使用形態のように、クリップ１３によって任意のものを挟持することができる。この第５の使用態様のように用いることにより、無風状態の時には、多機能帽子用留め具１をホルダとして用いることも可能である。
【００３１】
図８（ａ）（ｂ）は、本実施形態に係る多機能帽子用留め具１の第６の使用態様を示す概説図であり、まず図８（ａ）に示すように、両クリップ１３によって、例えばハンカチ、タオル、ふきん、手ぬぐい、さらには、紙製、布製、ビニール製のナプキン等の布状部材Ｓの任意の位置を、両クリップ１３が所定の間隙をもって位置するようにして挟持する。さらに、輪状部分７を首に掛け、コードストッパ５が首に接するようにコードストッパ５を移動させながらコードストッパ５の保持位置を決定する。続いて、多機能帽子用留め具は、図８（ｂ）に示すように、布状部材Ｓの端縁を挟持した両クリップ１３を、首の側部または側部よりも後方に位置するように移動することにより、布状部材Ｓを首の周りから胸の前方に広げた状態で保持することができる。これにより、両クリップ１３によって布状部材Ｓの所定の位置を挟持した本発明に係る多機能帽子用留め具１は、首の回りから胸の前方を被覆するまえかけとして使用することもできる。
【００３２】
図９（ａ）（ｂ）は、本実施形態に係る多機能帽子用留め具１の第７の使用態様を示す概説図であり、図９（ａ）に示すように、両クリップ１３によって、例えばタオル、手ぬぐい、ハンカチ等の布状部材Ｓの任意の位置を、両クリップ１３が所定の間隙をもって位置するようにして挟持する。続いて、布状部材Ｓを頭上に配置し、両クリップ１３を頭部の側面に配置し、さらに、両クリップ１３の間に位置する輪状部分７を下顎に接するように配置した状態で、コードストッパ５が下顎に接するようにコードストッパ５を移動させながらコードストッパ５の保持位置を決定する。または、前述のように両クリップ１３によって布状部材Ｓを挟持した後、図９（ｂ）に示すように、布状部材Ｓを頭上に配置し、両クリップ１３を頭部の側面に配置し、さらに、両クリップ１３の間に位置する輪状部分７を布状部材Ｓの上から頭部または首の後方に位置するように配置した状態で、コードストッパ５が下顎に接するようにコードストッパ５を移動させながら、コードストッパ５の保持位置を決定する。これにより、例えば暑い日に帽子を持っていない場合や、洗髪後であってまだ髪が乾いていないときに、頭上に被せた布状部材Ｓが頭部から落ちてしまったり、遠くに吹き飛んでしまうことを防止することができる。
【００３３】
図１０は、本実施形態に係る多機能帽子用留め具１の第８の使用態様を示す概説図であり、図１０に示すように、両クリップ１３のうち一方のクリップ１３によって開口端縁を挟持し、他方のクリップ１３によって、例えば携帯電話Ｐに装着されたストラップ等を挟持することにより、多機能帽子用留め具１によって携帯電話Ｐを保持する。または、コードストッパ５と環状部材１０との間における紐状部材２の一端部分と他端部分の間に、ストラップ等を通し、コードストッパ５を移動させてコードストッパ５と環状部材１０とによってストラップを挟持することにより、多機能帽子用留め具１によって携帯電話を保持する。これにより、本多機能帽子用留め具１によれば、携帯電話Ｐ等が鞄Ｂの奥に入り込んで見つからない場合であっても、携帯電話Ｐは多機能帽子用留め具１に保持されているので、紐状部材２を手繰ることによって、容易に鞄Ｂの中の携帯電話を探し出すことができる。
【００３４】
本実施形態によれば、両クリップ１３の間の輪状部分７が帽子Ｃの後端縁に沿って配置されるように両クリップ１３を移動させることにより、任意の帽子Ｃに装着することができる。また、コードストッパ５を移動させて輪状部分７の大きさを調整することにより、コードストッパ５が下顎や首に接するように位置させたり、輪状部分７を首に掛けたりして、任意の帽子Ｃに使用することができる。さらに、クリップ１３によって任意の帽子Ｃの端縁を挟持することができる。
【００３５】
したがって、本実施形態に係る多機能帽子用留め具１は、大きさや形状等が異なる種々の任意の防止に利用可能であり、かつ、前述の第２および第３の使用態様のように用いることにより、強風および弱風の時に帽子Ｃが遠くに吹き飛んでしまうことを防止することができるだけでなく、第１の使用態様のように用いることにより、強風の時であっても帽子Ｃが頭部から脱げてしまうことを防止することができる。さらに、本多機能帽子用留め具１は、帽子用留め具としての機能のみでなく、前述の第４および第５の使用態様のようにホルダや、さらに、前述の第６および第７の使用態様のように布状部材Ｓの保持手段として用いることができる。さらに、本多機能帽子用留め具１は、例えば、コードストッパ５を移動させて輪状部分７の大きさを調整することにより、止血用器具として用いたり、その他、コードストッパ５を装飾してループタイとして用いる等、種々の用途に利用することが可能である。
【００３６】
続いて、本発明における第２の実施形態について図１１乃至図１３を用いて説明する。なお、第１の実施形態と同一の構成については詳説を省略し、同一の符号を用いて説明する。また、第２の実施形態に係る多機能帽子用留め具においては、第１の実施形態における保持部材としてのクリップを第１保持部材としての第１クリップ１３として説明する。
【００３７】
図１１に示すように、第２の実施形態に係る多機能帽子用留め具１において、輪状部分７における両第１クリップ１３の間であって紐状部材２の中央部には、第２保持部材としての第２クリップ１５が取り外し可能に固定して取り付けられている。取り外し可能に取り付ける方法の一例としては、例えば、輪状部分７における紐状部材２の中央部を２つ折りにした状態で第２クリップ１５の一端部に形成された取付用孔１５ａに挿通し、挿通された部分の輪状部分７に第２クリップ１５の本体をくぐらせることにより取り付ける。このように、第２クリップ１５を取り外し可能に取り付けることにより、第２クリップ１５を使用しないときには第２クリップ１５を取り外して多機能帽子用留め具１を使用することができる。なお、本実施形態においては、第２クリップ１５が取り外し可能に固定して取り付けられているが、本発明において第２クリップ１５の取り付け方はこれに限定されるものではなく、取り外せないように取り付けてもよく、また、移動可能に取り付けてもよい。
【００３８】
続いて、第２の実施形態に係る多機能帽子用留め具１の使用態様について、図１２および図１３を用いて説明する。
【００３９】
図１２は、第２の実施形態に係る多機能帽子用留め具１の第１の使用態様を示す説明図であり、図１２に示すように、第２の実施形態に係る多機能帽子用留め具１の第２クリップ１５によって帽子ＣのサイドクラウンＣａの後端縁の中央部を挟持し、輪状部分７における両第１クリップ１３の間に位置する紐状部材２を、サイドクラウンＣａの後端縁に沿うように配置させながら、両第１クリップ１３によってサイドクラウンＣａの側端縁を挟持する。続いて、帽子Ｃを頭部に装着した状態で、輪状部分７における各第１クリップ１３とコードストッパ５との間の紐状部材２が顔面の側面に位置し、コードストッパ５が下顎に接するようにコードストッパ５を移動させながら、コードストッパ５の保持位置を決定する。第２の実施形態に係る多機能帽子用留め具１をこの第１の使用態様のように使用することにより、例えば、強風の時であっても、帽子Ｃが頭部から脱げてしまうことを防止防止することができる。
【００４０】
また、図１２に示すような使用態様において、図１３に示すように、両第１クリップ１３による帽子ＣのサイドクラウンＣａの挟持を解除し、両第１クリップ１３を前方に位置するように移動させることにより、強風および弱風の時に帽子Ｃが遠くに吹き飛ばされてしまうことを防止する留め具として用いることができる。さらに、第１クリップ１３によってネームプレート等を挟持することにより、多機能帽子用留め具１を、同時にホルダとして用いることもできる。
【００４１】
さらに、第２クリップ１５または両第１クリップ１３のうちいずれか一方のクリップ１３によってサイドクラウンの端縁を挟持し、両第１クリップ１３のうちいずれか他方のクリップ１３または第２クリップ１５によって服の襟Ｎ等を挟持することにより、強風および弱風の場合に帽子Ｃが遠くに吹き飛んでしまうことを防止することができる。また、第１実施形態における第４乃至第７の使用態様と同様に用いることもできる。
【００４２】
第２の実施形態によっても、大きさや形状等が異なる種々の任意の帽子Ｃに利用することができ、帽子Ｃが遠くに吹き飛んでしまうことを防止することができるほか、強風の時であっても帽子Ｃが脱げてしまうように用いることができ、かつ、ホルダや布状部材Ｓの保持手段等種々の用途に用いることができる。
【００４３】
また、第２クリップ１５を輪状部分７における紐状部材２の中央部に固定して取り付けることにより、図１２のように使用する場合において第２クリップ１５の位置決めの容易化を図ることができる。
【００４４】
なお、本発明は前記各実施形態に限定されるものではなく、必要に応じて種々変更することが可能である。
【００４５】
例えば、紐状部材２の長さを、小型のアジャスターバックル等を用いて調節することができるようにしてもよい。
【符号の説明】
【００４６】
１  多機能帽子用留め具
２  紐状部材
５  コードストッパ(中間束部材）
５ａ  孔
５ｂ  固定解除ボタン
７  輪状部分
８  両端部分
１０  環状部材
１０ａ  孔
１２  端部止め部材
１３  クリップ(保持部材）
１３ａ  取付用孔
Ｃ  帽子
Ｎ  襟
【図１】
2011168907.tif 000003
【図２】
2011168907.tif 000004
【図３】
2011168907.tif 000005
【図４】
2011168907.tif 000006
【図５】
2011168907.tif 000007
【図６】
2011168907.tif 000008
【図７】
2011168907.tif 000009
【図８】
2011168907.tif 000010
【図９】
2011168907.tif 000011
【図１０】
2011168907.tif 000012
【図１１】
2011168907.tif 000013
【図１２】
2011168907.tif 000014
【図１３】
2011168907.tif 000015